(57)【要約】【課題】盛り上げ法によるワックスパターンの成形に好適なワックス用インスツルメントを提供すること。【解決手段】棒状の握り部２と、握り部２の端部２ａ、２ｂに設けられた細工部３、３Ａとを含んで構成され、細工部３、３Ａが、握り部２側の湾曲部４と、湾曲部４に続く握り部２の中心軸に沿う方向に折れ曲がったワックス溜め部５、５Ａとを備え、ワックス溜め部５、５Ａが先太で、かつその先端が丸味を帯びている。【選択図】図１
0003098787.tif 000002
【実用新案登録請求の範囲】
【請求項１】
棒状の握り部と、該握り部の端部に設けられた細工部とを含んで構成された歯科技工に用いられるワックス用インスツルメントであって、
前記細工部が、前記握り部側の湾曲部と、該湾曲部に続く前記握り部の中心軸に沿う方向に折れ曲がったワックス溜め部とを備え、
該ワックス溜め部が、先太で、かつ先端が丸味を帯びていることを特徴とするワックス用インスツルメント。
【請求項２】
前記ワックス溜め部の長さが１〜４ｍｍ、前記先太部分の太さが０．５〜３ｍｍの範囲で設定されていることを特徴とするワックス用インスツルメント。
【考案の詳細な説明】
【０００１】
【考案の属する技術分野】
本考案は、歯科技工の分野において、歯冠や義歯などを作製する際のワックス型の形成に用いられるワックス用インスツルメントに関する。
【０００２】
【従来の技術】
歯の治療方法の一つに、治療する歯の一部または多くの部分を削り取り、削り取ったところに歯冠を被せたり、義歯を差し込んだりする方法がある。その場合には、歯冠や義歯などが技工士によって作製される。その作製工程の概略は次のとおりである。
【０００３】
まず、歯科医が削った歯およびその周辺の歯型（印象）を採取する。その印象に、歯科技工用の石膏を流し込み、歯型の模型を作製する。この歯型の模型では、周辺の歯は歯の形状だけが再現されており、治療する歯はすでに削られているので、その歯の残っている部分の形状が再現されている。したがって、削られてすでになくなっている部分が、歯冠などとして歯科技工士によって作製される。
【０００４】
図６は、歯型の模型を基にワックスパターン（蝋型）を形成し、さらに金属の歯冠を作製する手順を示す断面図であり、（ａ）は歯型の模型、（ｂ）は歯型の模型にワックスパターンを形成した状態、（ｃ）はワックスパターン、（ｄ）はワックスパターンを歯科用耐火材料に埋め込んだ状態、（ｅ）は鋳造型からワックスが除かれた状態、（ｆ）は鋳造後の状態、（ｇ）は作製された歯冠を示している。
【０００５】
図６に示したように、石膏の歯型の模型３１にワックスパターン３２を形成し（図６（ｂ））、模型３１とワックスパターン３２とを分離させてワックスパターンにワックス製などのスプルー（湯道）３２ａを取り付けた後（同図（ｃ））、ワックスパターン３２を型枠３３に入れ耐火材料３４中に埋め込む（同図（ｄ））。次に、型枠３３を含む全体を７００〜８００℃に加熱し、注入部３２ａを含むワックスパターン３２を蒸発させるとともに、耐火材料３４を固めることにより、ワックスパターン３２部を空洞化させた鋳造型を形成する（同図（ｅ））。次に、加熱された状態で、空洞化された部分に溶けた歯冠用の金属（例えば、Ａｕ−Ａｇ−Ｐｄ合金）３５を注入する（同図（ｆ））。冷却後、鋳造品を取り出して加工し、歯冠３６に仕上げる。
【０００６】
上記の工程の中で、ワックスパターン３２の成形は、その出来によって、歯冠３６が歯の治療を受けた患者によく適合するか否かがほぼ決まると言える工程であるので、歯科技工士にとって重要な作業である。このワックスパターンの成形には、主に次の３つのいずれかの方法が採用されている。
【０００７】
第１の方法は、石膏の模型３１に対して、目標のワックスパターン３２の形状より大きめにワックスを付着させ、歯冠の形態を掘り出していくことによってワックスパターン３２の形状に成形する方法（カービング法）である。第２の方法は、模型３１にワックスを盛り上げていくことによって、ワックスパターン３２を成形する方法（盛り上げ法）である。また、第３の方法は、第１と第２の方法を併用する方法である。
【０００８】
上記のワックスパターン３２の成形には、通常ワックス用インスツルメント（以下、単に「インスツルメント」と略記する）が用いられる。このインスツルメントに対しては、作業の精度や能率を上げるために、様々な改良や工夫が講じられている。
【０００９】
図７は、作業がしやすいように、柄部（握り部）に改良が加えられた従来のインスツルメントを示す側面図である（例えば、特許文献１）。このインスツルメント４１は、握り部４２、細工部４３、４４を含んで構成される通常のインスツルメントに、指当て部４５、４６が設けられている点に特徴がある。この指当て部４５、４６は、細工部４３、４４と握り部４２との間に位置し、周面が円弧状に内側にへこみ、その周面上には多数の突起が形成されているものである。
【００１０】
【特許文献１】
実開昭５３−５６２００号公報
【００１１】
【考案が解決しようとする課題】
上記のインスツルメント４１を用いて、盛り上げ法によりワックスパターンを成形する場合には、へら部４３、４４に溶けたワックスを付着させ、そのワックスを歯型の模型３１に付着させることによって、ワックスの盛り上げが行われる。従来のインスツルメントは、図７に一例を示したように、通常へら部が扁平であり、かつ先端部が尖っている。したがって、付着させたワックスを削る器具としては使いやすいが、ワックスの盛り上げには必ずしも適していないという欠点がある。
【００１２】
従来のインスツルメントの中には、へら部が扁平ではなく棒状のものもあるが、その棒状部の形状は、図７に示したインスツルメント４１と同様に、ほぼストレート状であるので、ワックスを盛り上げる方法に対しては、ワックスパターン３２の成形に必ずしも適したものではないという問題点がある。
本考案は上記課題に鑑みなされたものであって、ワックスを盛り上げる方法でワックスパターンを成形するのに好適な歯科技工に用いられるワックス用インスツルメントを提供することを目的としている。
【００１３】
【課題を解決するための手段及び効果】
上記の課題を解決するための本考案に係るワックス用インスツルメント（１）は、棒状の握り部と、該握り部の端部に設けられた細工部とを含んで構成され、前記細工部が、前記握り部側の湾曲部と、該湾曲部に続く前記握り部の中心軸に沿う方向に折れ曲がったワックス溜め部とを備え、該ワックス溜め部が、先太で、かつその先端が丸味を帯びていることを特徴としている。
上記のワックス用インスツルメント（１）によれば、ワックス溜め部が握り部の中心軸方向に折れ曲がっており、さらにワックス溜め部が先太でかつ湾曲部側の方が細いので、ワックス溜め部に、ワックスを安定的、かつ量的に多く付着させておくことができる。そのために、盛り上げ法によるワックスパターンの成形を容易、かつ正確に行うことができる。
【００１４】
また、本考案に係るワックス用インスツルメント（２）は、上記のワックス用インスツルメント（１）において、前記ワックス溜め部の長さが１〜４ｍｍ、前記先太部分の太さが０．５〜３ｍｍの範囲で設定されていることを特徴としている。
上記のワックス用インスツルメント（２）によれば、ワックス溜め部が適正なサイズに設定されているので、いっそう容易、かつ正確にワックスパターンを成形することができる。
【００１５】
【考案の実施の形態】
以下、図面を参照し、本考案の実施の形態に係るワックス用インスツルメントを具体的に説明する。
図１は、実施の形態に係るインスツルメント１の外観を示す斜視図である。インスツルメント１は、握り部２と、握り部２の両端に備えられている細工部３、３Ａとを含んで構成され、さらに、細工部３、３Ａは、それぞれ湾曲部４、４Ａと、ワックス溜め部５、５Ａと、必要に応じて設けられる支持部６、６Ａとを含んで構成されている。なお、以下の説明では、細工部３、３Ａに関しては、一方の細工部３について説明し、他方の細工部３Ａには後に言及する。
握り部２は、使用者がインスツルメントを握る部分であり、径が７〜１０ｍｍ程度、長さが８０〜１３０ｍｍ程度のほぼ棒状である。そして、端部２ａ、２ｂに近い側の指で掴む位置には、滑り止め用の凹凸部２ｃ、２ｄが設けられている。
【００１６】
図２は、握り部２の一方の端部２ａに設けられている細工部３を示す要部拡大側面図である。細工部３は、一端が握り部２の端部に固定された支持部６と、支持部６に続く湾曲部４と、湾曲部４の先に設けられたワックス溜め部５とを含んで構成されている。支持部６と湾曲部４はほぼ棒状で、断面形状は丸形、角形等いずれの形状でもよい。
【００１７】
図３は、インスツルメント１のワックス溜め部５およびその近傍の領域の形状を示す要部拡大側面図である。ワックス溜め部５は、湾曲部４のワックス溜め部５に接する領域４ｂに対して、握り部２の中心軸Ａ（図２参照）に沿う方向に折れ曲がっている。すなわち、ワックス溜め部５の中心軸Ｃは、湾曲部４のワックス溜め部５に接する領域４ｂの中心軸Ｂとなす角度より、中心軸Ａとなす角度の方が小さくなっている。このワックス溜め部５の中心軸Ｃと握り部２の中心軸Ａとの間の好ましい角度は、およそ０〜４５°、さらに好ましくは０〜３０°である。また、ワックス溜め部５は、湾曲部側５ｂから先端部５Ａにかけて、太さが太くなる先太形となっており、ワックス溜め部５の先端部５Ａの径は、湾曲部４のワックス溜め部５に接する領域４ｂの径より大きくなっている。さらに、先端部５Ａには丸味が設けられている。
ワックス溜め部５の好ましい大きさは、長さ１〜４ｍｍ、先端部５Ａの太さ０．５〜３ｍｍの範囲である。さらに好ましい大きさは、長さ１．５〜３ｍｍ、先端部５ａの太さ０．５〜２ｍｍである。
【００１８】
図１に示したインスツルメント１の場合には、握り部２の端部２ｂに設けられた細工部３Ａは、上記の細工部３と同様な構成となっている。ただし、細工部３Ａは、必ずしも細工部３と同じ構成とする必要はなく、ワックス溜め部５Ａの形状をワックス溜め部５の形状より大きくしたり小さくしたり、用途に応じて異なる形状としてもよい。さらに、本考案に係る細工部３Ａに代えて、ワックスのカット用のへら等、本考案に係る細工部とは異なるタイプの細工部としてもよい。
【００１９】
図４は、本考案の別の実施の形態に係るインスツルメントにおけるワックス溜め部を示す要部拡大側面図である。図４に示したように、ワックス溜め部１５は、先端部１５ａが球形で、先端部側１５ｂの径は湾曲部１４の径と同じでほぼ一定である形状でもよい。
【００２０】
図５は、本考案の別の実施の形態に係るインスツルメントの細工部における湾曲部を示す要部拡大側面図であり、（ａ）は丸形、（ｂ）は握り部２の中心軸に対して一方側にのみ湾曲したタイプを示す図である。湾曲部は、ワックスの盛り上げ作業の際に作業しやすいように設けられているものであり、その形状は、図１、図２に示した角形曲がり以外に、図５（ａ）、（ｂ）に示したような形状であってもよい。
【００２１】
上述の本考案の実施の形態に係るインスツルメントは、特に盛り上げによるワックスパターンの成形に適している。その理由はつぎのように考えられる。
一般に、肉盛法によってワックスパターンを成形する場合には、容器内でワックスを６０〜２００℃程度に加熱し、軟化したワックスをインスツルメントのワックス溜め部に付着させ、付着したワックスを石膏の模型（歯型）に盛り上げていく方法で作業が進められる。この場合、ワックス溜め部に付着したワックスは、時間の経過とともに温度が急激に低下し、粘度が高くなったり固まったりする。そのため、ワックス溜め部へのワックスの付着を頻繁に繰り返す方法が採られている。しかし、ワックス溜め部に付着したワックスの粘度が、時間経過に伴って大きく変化する場合には、ワックスパターンの成形をスムースに行うことができない場合がある。特に、ワックスパターンの仕上げの段階では、目標とする微妙な形状に成形しにくく、作業性が悪くなることがある。
【００２２】
それに対して、本実施の形態に係るインスツルメントは、上記のように、ワックス溜め部５、１５が、（ａ）握り部２の中心軸に沿う方向に折れ曲がっていること、（ｂ）先太形状であることという２つの特徴を有している。（ａ）のワックス溜め部５、１５が、握り部２の中心軸に沿う方向に折れ曲がっているという特徴を有することにより、使用者が必要に応じて、ワックス溜め部５、１５を水平に近い傾きに容易に設定することができる。そのため、ワックス溜め部５、１５に、ワックスを安定的に、かつ量的に多く付着させておくことができる。
【００２３】
さらに、（ｂ）の先太形状であるという特徴を有するために、ワックス溜め部５、１５の熱容量が大きくなっており、かつ湾曲部４、１４、２４、２４Ａ側の方が細いので、熱伝導によって湾曲部４、１４、２４、２４Ａに逃げる熱が少ない。すなわち、ワックス溜め部５、１５の先端部５ａ、１５ａおよび付着したワックスの温度は、時間経過に伴う変化が小さい。さらに、先太形状であるため、必要に応じてワックスの付着量を多く確保することができる。
【００２４】
このように、上記（ａ）、（ｂ）の２つの特徴点により、ワックス溜め部５、１５に、必要な量のワックスを、粘度の時間的な変化を抑えた状態で付着させておくことができる。そのために、上記の実施の形態に係るインスツルメントによれば、盛り上げ法によるワックスパターンの成形を容易、かつ正確に行うことができる。
【図面の簡単な説明】
【図１】本考案の実施の形態に係るインスツルメントの外観を示す斜視図である。
【図２】握り部の一方の端部に設けられている細工部を示す要部拡大側面図である。
【図３】インスツルメントのワックス溜め部およびその近傍の領域の形状を示す要部拡大側面図である。
【図４】別の実施の形態に係るインスツルメントにおけるワックス溜め部を示す要部拡大側面図である。
【図５】別の実施の形態に係るインスツルメントの細工部における湾曲部を示す要部拡大側面図であり、（ａ）は丸形、（ｂ）は握り部の中心軸に対して一方側にのみ湾曲したタイプを示す図である。
【図６】歯型の模型を基にワックスパターンを形成し、さらに金属の歯冠を作製する手順を示す断面図であり、（ａ）は歯型の模型、（ｂ）は歯型の模型にワックスパターンを形成した状態、（ｃ）はワックスパターン、（ｄ）はワックスパターンを歯科用耐火材料に埋め込んだ状態、（ｅ）は鋳造型からワックスが除かれた状態、（ｆ）は鋳造後の状態、（ｇ）は得られた歯冠を示す図である。
【図７】従来のインスツルメントを示す側面図である。
【符号の説明】
１、４１　　　ワックス用インスツルメント
２　　　握り部
３、３Ａ　　細工部
４、１４、２４、２４Ａ　　湾曲部
５、１５　　ワックス溜め部
【図１】
0003098787.tif 000003
【図２】
0003098787.tif 000004
【図３】
0003098787.tif 000005
【図４】
0003098787.tif 000006
【図５】
0003098787.tif 000007
【図６】
0003098787.tif 000008
【図７】
0003098787.tif 000009
【手続補正書】
【提出日】平成15年8月13日(2003.8.13)
【手続補正１】
【補正対象書類名】明細書
【補正対象項目名】請求項２
【補正方法】変更
【補正の内容】
【請求項２】
前記ワックス溜め部の長さが１〜４ｍｍ、前記先太部分の太さが０．５〜３ｍｍの範囲で設定されていることを特徴とする請求項１記載のワックス用インスツルメント。